(57)【要約】【課題】  照明光源として発光ダイオードを用い、原稿画像をセンサに結像させるためにレンズを用いた画像読取装置において、コサイン４乗則（ＣＯＳ４則）による端部の光量不足や、背表紙の部分がコンタクトガラスに密着しないような厚いブックをコピーする際の光量不足を、簡単で安価な構成で防ぐようにすることが課題である。【解決手段】  原稿台上に載置された原稿を照明する光源と、照明された原稿像をラインセンサを用いた読み取り素子に結像させる少なくともレンズを有した光学系とからなる画像読取装置において、光源として発光ダイオードを複数個、前記ラインセンサの読取方向である主走査方向に対して平行に配列し、一部に最大定格電流が他の発光ダイオードより大きな発光ダイオードを配した。【選択図】      図１
2006180297.tif 000002
【特許請求の範囲】
【請求項１】
原稿台上に載置された原稿を照明する光源と、照明された原稿像をラインセンサを用いた読み取り素子に結像させる少なくともレンズを有した光学系とからなる画像読取装置において、
前記光源は発光ダイオードを複数個、前記ラインセンサの読取方向である主走査方向に対して平行に配列して構成され、一部に最大定格電流が他の発光ダイオードより大きな発光ダイオードを配したことを特徴とする画像読取装置。
【請求項２】
前記最大定格電流が他の発光ダイオードより大きな発光ダイオードを、前記発光ダイオード列の両端部に配置したことを特徴とする請求項１に記載した画像読取装置。
【請求項３】
前記最大定格電流が他の発光ダイオードより大きな発光ダイオードを、前記発光ダイオード列の中央部近傍に配置したことを特徴とする請求項１に記載した画像読取装置。
【請求項４】
前記最大定格電流が他の発光ダイオードより大きな発光ダイオードを、前記発光ダイオード列の両端部及び前記発光ダイオード列の中央部近傍に配置したことを特徴とする請求項１に記載した画像読取装置。
【請求項５】
前記最大定格電流が他の発光ダイオードより大きな発光ダイオードによる光強度は、前記レンズのコサイン４乗則（ＣＯＳ４則）による光量低下分を補償する強度であることを特徴とする請求項に２または４に記載した画像読取装置。
【請求項６】
前記発光ダイオード列の中央部近傍に配置した発光ダイオードは、ブック原稿読み取りモード時に発光強度を上げることを特徴とする請求項３または４に記載した画像読取装置。
【発明の詳細な説明】
【技術分野】
【０００１】
本発明は、複写機やファクシミリなどにおける原稿読取装置に関し、特に、原稿を照射する光源と、該光源で照射された原稿をレンズによってＣＣＤ等を用いたラインセンサなどに結像させ、読み取るよう構成した画像読取装置に関するものである。
【背景技術】
【０００２】
複写機やファクシミリなどにおける原稿を読み取るための読取装置は、図１２に従来の画像読取装置における構成の一例を示したように、複写したり送信したりする原稿を載置するコンタクトガラス５０の下に、原稿を照明するハロゲンランプやキセノンランプなどの棒状の光源５１と照明効率を上昇させるための反射笠５２、及び反射ミラー５３が設けられて移動可能に構成された第１走査枠体５４と、反射ミラー５５と５６とが設けられて反射ミラー５３を介して送られてくる原稿画像を、レンズ５８でＣＣＤ等を用いたラインセンサ５９に結像させ、原稿からレンズ５８までの光路長を一定にするため、第１走査枠体５４の半分の速度で同方向に移動してゆく第２走査枠体５７とで構成されている。
【０００３】
ＣＣＤ等を用いたラインセンサ５９は、複数のＣＣＤが一方向に配列されて（以下この配列方向を主走査方向と称する）構成され、コンタクトガラス５０上に載置された原稿は、読み取り指示によって光源５１が点灯されると、原稿の端から逆側の端まで走行する（以下この走行方向を副走査方向と称する）第１走査枠体５４に載置された反射ミラー５３、第２走査枠体５７上の反射ミラー５５、５６を通して、読み取られた画像がレンズ５８によりラインセンサ５９上に結像される。
【０００４】
そしてラインセンサ５９によって読み取られるわけであるが、近年、こういった画像読取装置を搭載した複写機やファクシミリでもパーソナルユースの増加で小型化が要請され、光学系の全長やラインセンサ５９の長さを押さえるため、レンズ５８として焦点距離の短いレンズが用いられるようになっている。しかしながらこの場合、例え光源５１が原稿を均一に照明したとしても、レンズ５８におけるいわゆるコサイン４乗則（ＣＯＳ４則）により、図１３の表に示したようにラインセンサ５９の両端に到達する光量が少なくなるという現象が生じる。
【０００５】
すなわち、この図１３に示した表は、Ａ４サイズの用紙の短辺側に相当する２２０ｍｍ幅の像（すなわち原稿の幅）を、原稿とラインセンサ５９との間隔が２５０ｍｍであるときにコサイン４乗則（ＣＯＳ４則）がどのように影響するかを調べたもので、「像高」として示した値は原稿のレンズ５８の光軸からの距離、「光量低下率」は、レンズ５８の結像位置におけるレンズ光軸上の到達光量を１．０としたとき、「像高」で示した位置の光量がどの程度になっているかを示す値である。
【０００６】
この表から明らかなように、原稿の端部（±１１０ｍｍの位置）における光量は０．７で、中央部に比較して３０％も光量が少ないことがわかる。
【０００７】
また、このような複写機やファクシミリにおいては、図１４（Ａ）に示したように分厚いブック７０を複写したり送信したりということがおこなわれることがあるが、このような分厚いブックにおいては、開いてコンタクトガラス５０上に載置したとき、その背表紙の部分７１が浮いてコンタクトガラス５０に密着せず、図１４（Ｂ）の複写結果又は送信結果を示した図のように、中央の浮いた部分が７２で示したように光量不足で濃度が濃い画像（かぶり画像）になってしまう問題が生じる。
【０００８】
こういった問題に対処するため、例えば特許文献１には、従来用いられていたハロゲンランプやキセノンランプなどの棒状の光源５１の代わりに、光源として同一定格の発光ダイオード（以下ＬＥＤと略称する）を列状に配置し、コサイン４乗則（ＣＯＳ４則）が問題となる場合に両端部の電流値を大きくして発光光量を増加させ、端部光量の低下を補償するようにした画像読取装置が開示されている。
【０００９】
また特許文献２には、原稿を照明する光源をラインセンサの読取方向である主走査方向に対して平行に配列した複数個の点光源で構成し、ラインセンサに到達する光量を均一化すると共に、厚い本の中央部が光量不足でかぶり画像になるような場合、副走査方向への走査途中でその厚い本の中央部にかかったとき、光量を上昇させて対処するようにした画像読取装置が開示されている。
【００１０】
すなわち、原稿読み取り用の光源としてＬＥＤなどの点光源を主走査方向に平行に並べ、アレイ状とすると、ＬＥＤは１つ１つ個別に点灯／消灯や個別に光量制御できるので、管形状の光源では出来なかった主走査方向の配光調整が、任意の箇所で可能となる。
【００１１】
【特許文献１】特開昭６１−４８９８２号公報
【特許文献２】特開２００２−３１４７６０号公報
【発明の開示】
【発明が解決しようとする課題】
【００１２】
しかしながら、一般的にＬＥＤは破損や寿命を考慮し、定格電流のおよそ半分から７割程度で点灯されることが多く、特許文献１や２に示されているように、特定部位のＬＥＤの光量を増加させるために最大定格で発光させたり、厚い本における中央部に相当する部分で光量を増加させるために通常より電流値を増やす、という方法は、ＬＥＤの発光能力の限界近くまで使うことになって劣化が早まってしまったり、読取系の構成によっては、例え最大定格電流を供給して発光させても光量が不足してしまう場合もある。
【００１３】
そのため大きな光量が必要な場合に備え、大きな定格電流のＬＥＤを用いて通常は最大定格の２〜３割の電流で駆動し、上記のように周辺の光量不足が問題となる場合は端部のＬＥＤを、厚い本を走査中は中央部に相当する部分を走査中にそれぞれ光量を増加させる、という方法もあるが、当然のことながら定格電流の大きなＬＥＤを用いるということはコストアップになり、また効率も悪くなる。
【００１４】
そのため本発明においては、照明光源として発光ダイオードを用い、原稿画像をセンサに結像させるためにレンズを用いた画像読取装置において、コサイン４乗則（ＣＯＳ４則）による端部の光量不足や、背表紙の部分がコンタクトガラスに密着しないような厚いブックをコピーする際の光量不足を、簡単で安価な構成で防ぐようにすることが課題である。
【課題を解決するための手段】
【００１５】
上記課題を解決するため本発明における画像読取装置は、
原稿台上に載置された原稿を照明する光源と、照明された原稿像をラインセンサを用いた読み取り素子に結像させる少なくともレンズを有した光学系とからなる画像読取装置において、
前記光源は発光ダイオードを複数個、前記ラインセンサの読取方向である主走査方向に対して平行に配列して構成され、一部に最大定格電流が他の発光ダイオードより大きな発光ダイオードを配したことを特徴とする。
【００１６】
このように光源として発光ダイオードを用い、かつ、一部に最大定格電流が他の発光ダイオードより大きな発光ダイオードを配することで、例えばコサイン４乗則（ＣＯＳ４則）や厚いブックをコピーする際の背表紙に対応する部分の光量不足は、その光量が不足する部分に最大定格電流の大きな発光ダイオードを配することによって光量を増加させることができ、しかも不足する光量を補償しても、発光ダイオードの最大定格電流が大きいから従来装置のように劣化したり光量不足になるといったことが無く、簡単で安価な構成で光量不足を補償した画像読取装置を提供することができる。
【００１７】
そして、前記最大定格電流が他の発光ダイオードより大きな発光ダイオードを、前記発光ダイオード列の両端部に配置することで、コサイン４乗則（ＣＯＳ４則）に対応させることができ、前記発光ダイオード列の中央部近傍に配置することで、厚いブックをコピーする際の背表紙に対応する部分の光量不足に対応させることができる。
【００１８】
また、前記最大定格電流が他の発光ダイオードより大きな発光ダイオードを、前記発光ダイオード列の両端部及び前記発光ダイオード列の中央部近傍に配置することにより、コサイン４乗則（ＣＯＳ４則）にも、厚いブックをコピーする際の背表紙に対応する部分の光量不足にも対応させることができる。
【００１９】
そして、前記最大定格電流が他の発光ダイオードより大きな発光ダイオードによる光強度は、その発光ダイオードが端部に配置された場合は前記レンズのコサイン４乗則（ＣＯＳ４則）による光量低下分を補償する強度であり、前記発光ダイオード列の中央部近傍に配置した発光ダイオードは、ブック原稿読み取りモード時に発光強度を上げることが本発明の好適な実施形態である。
【００２０】
以上記載のごとく本発明によれば、照明光源として発光ダイオードを用い、原稿画像をセンサに結像させるためにレンズを用いた画像読取装置において、コサイン４乗則（ＣＯＳ４則）による端部の光量不足や、背表紙の部分がコンタクトガラスに密着しないような厚いブックをコピーする際の光量不足を、簡単で安価な構成で防いだ画像読取装置を提供することができる。
【発明を実施するための最良の形態】
【００２１】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２２】
図１は、本発明になる画像読取装置における光源の実施例１の斜視図、図２はコサイン４乗則により低下したレンズ周辺の光量を補償するのにどの程度の光量が必要かを算出した表、図３は図２で算出したレンズ周辺で低下する光量を補償する光量のグラフ、図４は低下した光量を補償するために最大定格電流の大きな発光ダイオードに流す電流値と他の発光ダイオードに流す電流値の一例を示した表、図５は本発明になる画像読取装置の構成例概略を示した一部省略斜視図、図６は厚手のブックを読み取るための本発明になる画像読取装置における光源の実施例２の斜視図、図７は厚手のブックを読み取るときに発光光量を増加させる発光ダイオードの配置を示した図、図８は厚手のブックを読み取るときフロー図、図９は本発明になる画像読取装置における光源の発光ダイオードを均等な光量で発光させたときの照度を表したグラフ、図１０は発光ダイオードからの距離と照度の関係を表したグラフ、図１１はブック原稿を読み取るときの発光強度と原稿台を構成するコンタクトガラス面での照度を表したグラフである。
【実施例１】
【００２３】
本発明になる画像読取装置は、図１に光源１０の実施例１の斜視図を示し、図５にその光源１０を備えた画像読取装置の構成例概略を一部省略して示したように、前記図１２に示した従来の画像読取装置と同様、画像を読み取るための原稿を載置する原稿台の図示していないコンタクトガラスの下に、移動する第１走査枠体１１に固定されて発光ダイオードを搭載した光源ユニット１２と、同じく第１走査枠体（図示せず）の半分のスピードで同方向に移動する第２走査枠体（図示せず）に固定された反射ミラーユニット２０とが設けられている。
【００２４】
このうち第１走査枠体１１に固定された光源ユニット１２には、中央の主走査方向に延在する窓１７の両側に、配線用端子の上に発光ダイオードを配列させた第１、第２の発光ダイオード搭載板１３（第１の発光ダイオード搭載板）、１４（第２の発光ダイオード搭載板）を設け、全体として位置調整自在な構成としている。そして、光源ユニット１２の窓１７の下部には図示していない第１の反射ミラー（図１２において反射ミラー５４に相当）とが設けられている。
【００２５】
また、第２走査枠体に固定された反射ミラーユニット２０には、第１走査枠体に設けられた図示していない反射ミラーから送られてくる原稿の画像を図５に２４で示したレンズに送るため、第２の反射ミラー２１、第３の反射ミラー２２が設けられ、前記したように原稿からレンズ２４までの光路長を一定にするため、第１走査枠体が移動する速度の半分の速度で同一方向に移動して、副走査をおこなうようになっている。
【００２６】
そして、このように構成した本発明の画像読取装置における実施例１では、図１に１６１、１６２で示した一部の発光ダイオードの最大定格電流を、他の大部分の発光ダイオード１５における最大定格電流より大きな物とし、これら１６１、１６２で示した発光ダイオードに発光ダイオード１５より大きな電流を流して発光強度を上げ、コサイン４乗則（ＣＯＳ４則）による光量低下に対処するようにしたものである。
【００２７】
すなわち前記し、図２の表に示したように、例えばＡ４サイズの用紙の短辺側に相当する２２０ｍｍ幅の像（すなわち原稿の幅）を、レンズ２４によって図示していないラインセンサに結像させる場合、「光量低下率」の欄に記したように、コサイン４乗則（ＣＯＳ４則）によって端部の光量は中央部に比較して、例えば約７０％程度の光量となる。なお、この図２の表において「像高」として示した値は原稿のレンズ２４の光軸からの距離、「光量低下率」はレンズ２４の結像位置におけるレンズ光軸上の到達光量を１．０としたとき、「像高」で示した位置の光量がどの程度になっているかを示す値、「光量補正率」は中央部（レンズ２４の光軸位置）の光量と同じ光量を得るために増加しなければならない光量の割合、「センターＬＥＤ電流値×光量補正率」は中央部（レンズ２４の光軸位置）の光量と同じ光量を得るためＬＥＤに印加せねばならない電流の増加量である。
【００２８】
そのため、この光量の低下を補正するためには、この図２の表に「光量補正率」と示した所に記したように、中央部の補正率を１．００とした場合（すなわち補正なし）、端部では約１．４２だけ光量を増加させる必要がある。そしてこの関係をグラフにしたのが図３のグラフであり、このグラフの横軸は図２の表における「像高」を、縦軸は図２の表における「光量補正率」を示している。
【００２９】
しかしながら特許文献１のように、全てのＬＥＤにおける最大定格電流を同一とし、常時は最大定格の５０〜７０％程度の電流値で点灯して、コサイン４乗則（ＣＯＳ４則）が問題となる例えば写真画像の読み取りなどの場合に端部の発光ダイオードに最大定格電流を流して（すなわち１００％）発光強度を上げる方法は、前記したようにＬＥＤの発光能力の限界近くまで使うことになって劣化が早まってしまったり、読取系の構成によっては、例え最大定格電流を供給して発光させても光量が不足してしまう場合もある。
【００３０】
逆に、大きな最大定格電流のＬＥＤを用いて通常は最大定格電流の２０〜３０％の電流で駆動し、上記のように周辺の光量不足が問題となる場合は、端部のＬＥＤの電流値を上げて光量を増加させるという方法もあるが、当然のことながら全てのＬＥＤの最大定格電流を大きすればコストアップになり、また効率も悪くなる。
【００３１】
そのため本発明においては、図１に１６１、１６２で示した一部の発光ダイオードの最大定格電流を、他の大部分の発光ダイオード１５における最大定格電流より大きな物とし、前記した写真画像の読み取りのように、コサイン４乗則（ＣＯＳ４則）による光量低下が問題となる場合にこれら１６１、１６２で示した発光ダイオードに発光ダイオード１５より大きな電流を流し、発光強度を上げて対処するようにしたものである。
【００３２】
このコサイン４乗則（ＣＯＳ４則）による光量低下を補償するための発光強度の上昇は、好ましくは前記図２の表と図３のグラフに示したように、レンズ２４の光軸位置からの距離（像高）に対応させて少しずつ変化させることが好ましい。そのため、例えば中央付近の発光ダイオード１５が最大定格の７０％程度の電流で駆動しているとき、その駆動電流が最大定格電流の８５％を超える像高±８０ｍｍから端部側に配した発光ダイオードを、１６１、１６２で示した最大定格電流が大きな発光ダイオードとし、中央（像高０）から順次発光光量を上げてゆくよう回路を構成すれば、理想的な光源を得ることができる。
【００３３】
この場合の発光ダイオード１６１、１６２に流す電流値の一例を示したのが図４の表であり、この表において「ＬＥＤ種類」は、図１に１５で示した大部分を占める発光ダイオード（ＬＥＤ−Ａ）と、端部側に配した１６１、１６２で示した最大定格電流の大きな発光ダイオード（ＬＥＤ−Ｂ）の別を示したもので、「定格電流」はＬＥＤ−Ａ（発光ダイオード１５）の最大定格電流をＡとしたとき、ＬＥＤ−Ｂ（発光ダイオード１６１、１６２）を例えば１．５倍にすることを示している。
【００３４】
「ＬＥＤ供給電流」は、読み取る原稿の種類によってそれぞれのＬＥＤをどの程度の電流値で駆動するかを示したもので、「混在モード」は写真と文字が混在した原稿の場合、「写真モード」は写真だけの原稿の場合、「文字モード」は文字だけの原稿の場合、「ブックモード」は、後記する本発明における実施例２の場合の電流値である。
【００３５】
すなわち、文字だけの原稿を読み取る「文字モード」においては、多少の光量低下があっても問題となることはないため、中央部のＬＥＤ−Ａ（発光ダイオード１５）も両端部に配置したＬＥＤ−Ｂ（発光ダイオード１６１、１６２）もほぼ同じ０．７Ａで駆動してもかまわない。それに対して写真だけの原稿である「写真モード」と写真と文字が混在した「混在モード」では、コサイン４乗則（ＣＯＳ４則）が読み取り結果に顕著に影響を与えるため、中央部のＬＥＤ−Ａ（発光ダイオード１５）を０．５〜０．７Ａで駆動し、ＬＥＤ−Ｂ（発光ダイオード１６１、１６２）は０．７〜１．１Ａで駆動して、周辺の光量低下による画像劣化を防止する。勿論この場合、前記図２の表と図３のグラフに示したように光量を中央から端部に向け、徐々に大きくしていくよう回路を構成することが好ましい。
【００３６】
このように、画像読取装置の光源におけるコサイン４乗則（ＣＯＳ４則）で光量が不足する部分に最大定格電流の大きな発光ダイオード１６１、１６２を配したことで、不足する光量を増加させることができると共に、この不足光量の補償によっても発光ダイオードの最大定格電流が大きいから、従来装置のように劣化したり光量不足になるといったことが無く、簡単で安価な構成で光量不足を補償した画像読取装置を提供することができる。
【実施例２】
【００３７】
図６乃至図１１は、厚手のブックを読み取るための本発明になる画像読取装置における光源の実施例２を説明するための図で、図６は実施例２の光源の斜視図、図７は厚手のブックを読み取るときに発光光量を増加させる発光ダイオードの配置を示した図であり、画像読取装置そのものの構成は、前記図５に示したものと同一であるため説明は省略する。
【００３８】
前記図１に示した実施例１においては、コサイン４乗則（ＣＯＳ４則）で低下する光量を補償するよう端部側に最大定格電流の大きな発光ダイオード１６１、１６２を配したが、前記図１４（Ａ）に示したような分厚いブック７０を読み取る場合、背表紙の部分７１が浮いてコンタクトガラス５０に密着せず、図１４（Ｂ）の読み取り結果のように、中央の浮いた部分が７２で示したように光量不足で濃度が濃い画像（かぶり画像）になってしまう。この問題に対処するため本発明の実施例２では、図６に３４で示した一部の発光ダイオードの最大定格電流を、他の大部分の発光ダイオード３３１、３３２における最大定格電流より大きな物とし、この３４で示した発光ダイオードに発光ダイオード３３１、３３２より大きな電流を流して発光強度を上げるようにしたものである。
【００３９】
この実施例２における最大定格電流が他の発光ダイオードより大きな発光ダイオード３４を配する部分は、図７に示したように、配列した発光ダイオードにおける中央部分近傍、すなわち図示していないラインセンサの走査方向である主走査方向の中央部分近傍とし、ブック原稿４０のコンタクトガラス４１への載置位置は、図５に示したレンズ２４における光軸と対応するコンタクトガラス４１上の端部に付した中央目印２３に、背表紙４２が来るように載せて背表紙４２の部分が最大定格電流の大きい発光ダイオード３３の領域となるようにしてある。
【００４０】
図１０は、コンタクトガラス面からの距離と照度の関係を示したグラフであり、コンタクトガラス面から５ｍｍの距離では距離０ｍｍの場合に比較して、例えば発光ダイオードを電流５Ａ（ｍＡ）で駆動した場合はその照度が６８０００から２７０００（ｌｘ）へ、電流２Ａ（ｍＡ）で駆動した場合は同じく４００００から１６０００（ｌｘ）へ、電流０．６７Ａ（ｍＡ）の場合も同じく１７０００から６０００（ｌｘ）へ、それぞれ約６０％低下している。そのため、例えば０．６７Ａの電流で発光ダイオードを駆動し、コンタクトガラス面から５ｍｍ離れた場合は、２Ａの電流で発光ダイオードを駆動する必要がある。
【００４１】
従って、前記図１４（Ａ）に示したような分厚いブック７０における背表紙の部分７１が５ｍｍ程度コンタクトガラス５０から浮くと、その光量は６０％も低下するわけで、本発明の実施例２では、この低下する光量を補償するため、前記したように、画像読取装置における図６に示した光源３０の光源ユニット１２に配した発光ダイオード３３、３４を、３４で示した中央部分の発光ダイオードの最大定格電流を、他の大部分の発光ダイオード３３１、３３２における最大定格電流より大きな物としたのである。
【００４２】
なお、この図６における光源ユニット１２には、前記図１に示した実施例１の場合と同様、中央の主走査方向に延在する窓１７の両側に、配線用端子の上に発光ダイオードを配列させた第１、第２の発光ダイオード搭載板３１（第１の発光ダイオード搭載板）、３２（第２の発光ダイオード搭載板）を設けた、全体として位置調整自在な構成としている。そして、光源ユニット１２の窓１７の下部にはこれも図示していない第１の反射ミラー（図１２において反射ミラー５４に相当）とが設けられ、図示していない第１走査枠体に固定されている。
【００４３】
そしてこの実施例２の画像読取装置では、例えば３３１、３３２で示した発光ダイオードをＬＥＤ−Ａ、３４で示した最大定格電流の大きな発光ダイオードをＬＥＤ−Ｂとすると、前記図４の表に示したように、ブック原稿以外の文字原稿（文字モード）で、かつ、全面がコンタクトガラス面に密着できる通常の原稿の場合は、「文字モード」に示したようにＬＥＤ−ＡもＬＥＤ−Ｂも０．７Ａの電流で発光させる。
【００４４】
この場合のコンタクトガラス面上の照度を示したのが図９のグラフであり、図中横軸はレンズ２４の中心からの距離（図２の表における「像高」に相当）を、縦軸は照度を表し、発光ダイオード３３、３４が同じ電流値で駆動されるため、その発光強度はほとんど同一となり、コンタクトガラス面上の照度は約２８０００（ｌｘ）で一定となる。
【００４５】
それに対して、ブック原稿を読み取る図４に「ブックモード」として示したモードの場合は、中央部のＬＥＤ−Ａは０．５〜０．７Ａで通常の場合と同じ電流値を流し、両端部のＬＥＤ−Ｂには１．０〜１．３Ａと通常より大きな電流を流す。その場合のコンタクトガラス面上の照度を示したのが図１１であり、このようにＬＥＤ−Ｂに大きな電流を流して発光強度を大きくすることにより中央部分の照度が上昇し、図７に示したように、分厚いブック４０における背表紙の部分４２がコンタクトガラス４１から浮いても不足する照度が補償されることになる。
【００４６】
なお、「ブックモード」の指示は画像読取装置を設けた複写機やファクシミリなどの制御卓上に、「ブックモード」などの指示釦を設けると共に、読み取りに際して背表紙４２の部分の照度を測定し、不足する光量に対応させて最適な光量が得られるようにしても良い。この制御フローを示したのが図８である。次にこの図８に基づき、「ブックモード」における画像読み取り動作について説明する。
【００４７】
図８におけるステップＳ１で、画像読取装置を設けた複写機やファクシミリなどの電源がＯＮされ、例えば制御卓上の「ブックモード」を指示する釦がＯＮされている場合、まず、ステップＳ２でそれ自体公知のシェーディング補正（原稿の読み取り前に基準となる白レベルを決定する処理）がおこなわれ、次のステップＳ３で画像の読み取りが準備される。そしてステップＳ４で画像読み取り、すなわち複写やファックス送信のスタートボタンが押されると、ステップＳ５でブックモードが選択されているかどうかが判断される。なお、Ｓ１からＳ４までは通常の原稿を用いた文字モード、ならびにブックモード共通の動作である。
【００４８】
この時ブックモードが選択されていない場合は、ステップＳ６に行ってＬＥＤ−Ｂを含む全てのＬＥＤが例えば電流値０．６７Ａの通常の電流値で駆動され、図９に示したようにコンタクトガラス面上の照度は一様になって通常の読み取りが開始される。
【００４９】
一方、ブックモードが選択されている場合は、前記した図６に示した光源３０を配した図５には示されていない第１走査枠体１１がブック原稿の読み取り先端まで移動し、読み取りに先立ってＬＥＤを通常の光量で点灯し、それによる図示していないＣＣＤ等を用いたラインセンサの出力を確認する。
【００５０】
その確認は、まずステップＳ８でおこなわれ、図６に３４で示した発光ダイオードに対応する位置の、図示していないＣＣＤ等のラインセンサ出力が例えば２００／２５５より小さい場合、次のステップＳ１０に進み、大きい場合はステップＳ９に進む。ステップＳ９に進んだ場合は、ＬＥＤ−Ｂの電流値が１．０Ａとされて通常の場合よりは光量を増加した状態で読み取りが開始される。
【００５１】
また、ステップＳ８でステップＳ１０に進むことが選択された場合、ステップＳ１０でさらにＣＣＤ等のラインセンサの出力が１５０／２５５以下かどうかが判断され、小さい場合は次のステップＳ１２に進み、大きい場合はステップＳ１１に進む。ステップＳ１１に進んだ場合は、ＬＥＤ−Ｂの電流値が２．０ＡとされてステップＳ９の場合よりさらに光量が増加され、読み取りが開始される。
【００５２】
また、ステップＳ１０でステップＳ１２に進むことが選択された場合、ＬＥＤ−Ｂの電流値が５．０ＡとされてステップＳ１１の場合よりさらに光量が増加され、読み取りが開始される。
【００５３】
このようにすることにより、特許文献２のように全てのＬＥＤにおける最大定格電流を同一とし、常時は最大定格の５０〜７０％程度の電流値で点灯してブック原稿の場合だけ、副走査方向の背表紙４２に相当する位置で光量をアップさせる方法や、逆に、大きな最大定格電流のＬＥＤを用いて通常は最大定格電流の２０〜３０％の電流で駆動し、ブック原稿の読み取りの場合だけＬＥＤの電流値を上げて光量を増加させるという方法では、前記したようにＬＥＤの発光能力の限界近くまで使うことになって劣化が早まってしまったり、読取系の構成によっては、例え最大定格電流を供給して発光させても光量が不足してしまう場合もあり、さらに最大定格電流が大きなＬＥＤを使う場合はコストアップになってしまうが、本発明によればこういった問題が起こることがなく、簡単で安価な構成で光量不足を補償した画像読取装置を提供することができる。
【００５４】
なお、以上の説明では実施例１のコサイン４乗則（ＣＯＳ４則）に起因する光量不足と、実施例２の厚いブックをコピーする際の背表紙に対応する部分の光量不足を、別々に説明してきたが、コサイン４乗則（ＣＯＳ４則）に起因する光量不足は厚いブックをコピーする際の背表紙に対応する部分の光量不足と同時に起こるものであり、両者を同時におこなうようにしても良いことはあきらかである。
【００５５】
また、以上の説明では発光ダイオードの電流値を種々上げてきたが、これらは全て一例であり、本発明がこれらの数値にとらわれないこともあきらかである。
【００５６】
以上、種々述べてきたように本発明によれば、光源として発光ダイオードを用い、かつ、一部に最大定格電流が他の発光ダイオードより大きな発光ダイオードを配することで、例えばコサイン４乗則（ＣＯＳ４則）や厚いブックをコピーする際の背表紙に対応する部分の光量不足は、その光量が不足する部分に最大定格電流の大きな発光ダイオードを配することによって光量を増加させることができ、しかも不足する光量を補償しても、発光ダイオードの最大定格電流が大きいから従来装置のように劣化したり光量不足になるといったことが無く、簡単で安価な構成で光量不足を補償した画像読取装置を提供することができる。
【００５７】
そして、前記最大定格電流が他の発光ダイオードより大きな発光ダイオードを、前記発光ダイオード列の両端部に配置することで、コサイン４乗則（ＣＯＳ４則）に対応させることができ、前記発光ダイオード列の中央部近傍に配置することで、厚いブックをコピーする際の背表紙に対応する部分の光量不足に対応させることができる。
【００５８】
また、前記最大定格電流が他の発光ダイオードより大きな発光ダイオードを、前記発光ダイオード列の両端部及び前記発光ダイオード列の中央部近傍に配置することにより、コサイン４乗則（ＣＯＳ４則）にも、厚いブックをコピーする際の背表紙に対応する部分の光量不足にも対応させることができる。
【産業上の利用可能性】
【００５９】
本発明によれば、コサイン４乗則（ＣＯＳ４則）による端部の光量不足や、背表紙の部分がコンタクトガラスに密着しないような厚いブックをコピーする際の光量不足を、簡単で安価な構成で防いだ画像読取装置を提供することができ、大きな効果をもたらすものである。
【図面の簡単な説明】
【００６０】
【図１】本発明になる画像読取装置における光源の実施例１の斜視図である。
【図２】コサイン４乗則により低下したレンズ周辺の光量を補償するのにどの程度の光量が必要かを算出した表である。
【図３】図２で算出したコサイン４乗則によりレンズ周辺で低下する光量を補償する光量のグラフである。
【図４】コサイン４乗則により低下した光量を補償するために最大定格電流の大きな発光ダイオードに流す電流値と他の発光ダイオードに流す電流値の一例を示した表である。
【図５】本発明になる画像読取装置の構成例概略を示した一部省略斜視図である。
【図６】厚手のブックを読み取るための本発明になる画像読取装置における光源の実施例２の斜視図である。
【図７】厚手のブックを読み取るときに発光光量を増加させる発光ダイオードの配置を示した図である。
【図８】厚手のブックを読み取るときフロー図である。
【図９】本発明になる画像読取装置における光源の発光ダイオードを均等な光量で発光させたときの照度を表したグラフである。
【図１０】発光ダイオードからの距離と照度の関係を表したグラフである。
【図１１】ブック原稿を読み取るときの発光強度と原稿台を構成するコンタクトガラス面での照度を表したグラフである。
【図１２】従来の画像読取装置における構成の一例を示した図である。
【図１３】コサイン４乗則（ＣＯＳ４則）により、レンズ周辺の光量が中央の光量に対してどの程度低下するかを調べた表である。
【図１４】（Ａ）は分厚いブックを複写したり送信するときの説明図であり、（Ｂ）はその複写結果又は送信結果を示した図である。
【符号の説明】
【００６１】
１０  光源
１１  第１走査枠体
１２  光源ユニット
１３  第１の発光ダイオード搭載板
１４  第２の発光ダイオード搭載板
１５  通常の最大定格電流の発光ダイオード
１６１、１６２  最大定格電流の大きな発光ダイオード
１７  窓
【図１】
2006180297.tif 000003
【図２】
2006180297.tif 000004
【図３】
2006180297.tif 000005
【図４】
2006180297.tif 000006
【図５】
2006180297.tif 000007
【図６】
2006180297.tif 000008
【図７】
2006180297.tif 000009
【図８】
2006180297.tif 000010
【図９】
2006180297.tif 000011
【図１０】
2006180297.tif 000012
【図１１】
2006180297.tif 000013
【図１２】
2006180297.tif 000014
【図１３】
2006180297.tif 000015
【図１４】
2006180297.tif 000016